(57)【特許請求の範囲】
【請求項１】
第１電極板、第２電極板、及びそれらの間に介在されるセパレータを含む電極組立体と、
前記電極組立体が挿入されるように一側に開口が形成され、内部に、前記電極組立体を収容するカンと、
前記カンの開口を密閉し、互いに平行に配置された第１面及び第２面、並びに前記第１面及び第２面を連結し、一定高を有する第３面を含むキャッププレートと、を具備し、
前記キャッププレートの前記第１面と前記第３面とが接する部分に、傾きが変化するシャンファ（chamfer）が形成され、
前記キャッププレートは、長手方向に延設され、前記シャンファは、前記キャッププレートの長手方向の第１エッジ部に形成された第１シャンファと、前記第１エッジ部が延設された前記キャッププレートの幅方向の第２エッジ部に形成された第２シャンファと、を有し、前記第１シャンファの傾きが、前記第２シャンファの傾きより大きく、
前記キャッププレートの前記第１面は、前記カンの内部に向けて配置され、前記キャッププレートの前記第２面は、前記カンの外部に向けて配置されることを特徴とする二次電池。
【請求項２】
前記第１シャンファは、変化する傾きを有し、前記第２シャンファは、一定傾きを有することを特徴とする請求項１に記載の二次電池。
【請求項３】
前記キャッププレートの前記第１エッジ部は、曲線に形成され、前記第１シャンファは、前記第１エッジ部のうち最も突出した部分において、最大傾きを有するように形成されることを特徴とする請求項２に記載の二次電池。
【請求項４】
前記第１シャンファは、前記第２シャンファと連結される部分から、前記第１エッジ部のうち最も突出した部分まで漸次増大する傾きを有することを特徴とする請求項３に記載の二次電池。
【請求項５】
前記第１シャンファは、前記キャッププレートの前記第３面の高さの７０％以下に形成されることを特徴とする請求項４に記載の二次電池。
【請求項６】
前記第１シャンファの長さは、前記第２シャンファの長さより長いことを特徴とする請求項１に記載の二次電池。
【請求項７】
前記キャッププレートの前記第１エッジ部は、曲線に形成され、前記第１シャンファは、前記第１エッジ部のうち最も突出した部分において、最大長を有するように形成されることを特徴とする請求項６に記載の二次電池。
【請求項８】
前記第１シャンファは、前記第２シャンファと連結される部分から、前記第１エッジ部のうち最も突出した部分まで漸次増大する長さを有することを特徴とする請求項７に記載の二次電池。
【発明の詳細な説明】
【技術分野】
【０００１】
本発明は、二次電池に関する。
【背景技術】
【０００２】
二次電池は充電が不可能な一次電池とは異なり、充放電が可能な電池をいうものであり、携帯電話、ＰＤＡ（personal digital assistant）、ノート型パソコンなどの小型先端電子機器分野で汎用されている。
【０００３】
二次電池が多様な分野で使用されながら、二次電池の使用環境による信頼性を確保することが重要である。二次電池の信頼性を確保するために、例えば、二次電池を外部環境から密封することを挙げることができる。もし二次電池が完壁に密封されていないのであるならば、二次電池が落下したり、あるいは強い衝撃が外部から加えられたりするとき、二次電気が損傷されるならば、電気的短絡が発生したり、あるいは電解液が漏れたりするというような問題が発生し、二次電池が正常に動作しない。
【先行技術文献】
【特許文献】
【０００４】
【特許文献１】韓国特許第１０２３８９５号
【発明の概要】
【発明が解決しようとする課題】
【０００５】
本発明が解決しようとする課題は、外部環境から密封が容易な二次電池を提供することである。
【課題を解決するための手段】
【０００６】
前記課題を解決するために、本発明の一実施形態によれば、第１電極板、第２電極板、及びそれらの間に介在されるセパレータを含む電極組立体；前記電極組立体が挿入されるように一側に開口が形成され、内部に前記電極組立体を収容するカン；及び前記カンの開口を密閉し、互いに平行に配置された第１面及び第２面、並びに前記第１面及び第２面を連結し、一定高を有する第３面を含むキャッププレート；を具備し、前記キャッププレートの前記第１面と前記第３面とが接する部分に、傾きが変化するシャンファ（chamfer、面取り部）が形成される二次電池が提供される。
【０００７】
本実施形態において、前記キャッププレートの前記第１面は、前記カンの内部に向けて配置され、前記キャッププレートの前記第２面は、前記カンの外部に向けて配置されてもよい。
本実施形態において、前記キャッププレートは、長手方向に延設され、前記シャンファは、前記キャッププレートの長手方向の第１エッジ部に形成された第１シャンファと、前記第１エッジ部が延設された前記キャッププレートの幅方向の第２エッジ部に形成された第２シャンファと、を有し、前記第１シャンファの傾きが、前記第２シャンファの傾きより大きくなる。
【０００８】
本実施形態において、前記第１シャンファは、変化する傾きを有し、前記第２シャンファは、一定傾きを有することができる。
本実施形態において、前記キャッププレートの前記第１エッジ部は、曲線に形成され、前記第１シャンファは、前記第１エッジ部のうち最も突出した部分において、最大傾きを有するように形成されてもよい。
【０００９】
本実施形態において、前記第１シャンファは、前記第２シャンファと連結される部分から、前記第１エッジ部のうち最も突出した部分まで漸次増大する傾きを有することができる。
本実施形態において、前記第１シャンファは、前記キャッププレートの前記第３面の高さの７０％以下に形成される。
本実施形態において、前記第１シャンファの長さは、前記第２シャンファの長さより長い。
【００１０】
本実施形態において、前記キャッププレートの前記第１エッジ部は、曲線に形成され、前記第１シャンファは、前記第１エッジ部のうち最も突出した部分において、最大長を有するように形成してもよい。
本実施形態において、前記第１シャンファは、前記第２シャンファと連結する部分から、前記第１エッジ部のうち最も突出した部分まで漸次増加する長さを有することができる。
【００１１】
前記課題を解決するために本発明の他の実施形態によれば、一側に開口を有するカン、前記カンの開口を介して、前記カンの内部に収容される電極組立体；及び前記カンの開口を密封するように一定厚を有し、前記カンの内部に位置するエッジにシャンファ（chamfer）が形成されたキャッププレート；を含み、前記シャンファは、前記キャッププレートのラウンド形状の端部の最も突出した部分に行くほど傾きが増加する二次電池が提供される。
【発明の効果】
【００１２】
本発明の一実施形態によれば、外部衝撃及び内部スウェリング現象に強健な二次電池を具現することができる。しかしながら、そのような効果によって、本発明の範囲が限定されるものではないということは言うまでもない。
【図面の簡単な説明】
【００１３】
【図１】本発明の一実施形態による二次電池を概略的に示した斜視図である。
【図２】図１の分解斜視図である。
【図３】図１のIII−III線に沿って切り取った断面図である。
【図４】図３のＡ部分を抜粋して図示する底面図である。
【図５】図４を概略的に図示した側面図である。
【図６】図４をＶＩ−ＶＩ線に沿って切り取った断面図である。
【発明を実施するための形態】
【００１４】
本発明は、多様な変換を加えることができ、さまざまな実施形態を有することができるが、特定実施形態について、図面に例示して詳細な説明で詳細に説明する。本発明の効果、特徴、及びそれらを達成する方法は、図面と共に詳細に説明する実施形態を参照すれば、明確になるであろう。しかし、本発明は、以下で開示する実施形態に限定されるものではなく、多様な形態に具現される。
【００１５】
以下、添付された図面を参照し、本発明の実施形態について詳細に説明するが、図面を参照して説明するとき、同一であるか、あるいは構成要素は、同一図面符号を付し、それに係わる重複説明は省略する。
以下の実施形態において、第１、第２のような用語は、限定的な意味ではなく、１つの構成要素を他の構成要素と区別する目的に使用された。
【００１６】
以下の実施形態において、単数の表現は、文脈上明白に取り立てて意味しない限り、複数の表現を含む。
以下の実施形態において、「含む」または「有する」というような用語は、明細書上に記載された特徴または構成要素が存在するということを意味するものであり、一つ以上の他の特徴または構成要素が付加される可能性をあらかじめ排除するものではない。
【００１７】
以下の実施形態において、膜、領域、構成要素などの部分が、他の部分の「上に」または「上部」にあるというとき、他の部分の「真上に」または「すぐ上部に」ある場合だけではなく、その中間に、他の膜、領域、構成要素などが介在されている場合も含む。
以下の実施形態において、ｘ軸、ｙ軸及びｚ軸は、直交座標系上の３つの軸に限定されるものではなく、それを含む広い意味に解釈される。例えば、ｘ軸、ｙ軸及びｚ軸は、互いに直交しもするが、互いに直交しない互いに異なる方向を指すこともできる。
【００１８】
図面においては、説明の便宜のために、構成要素は、その大きさが誇張または縮小されている。例えば、図面に示された各構成の大きさ及び厚みは、説明の便宜のために任意に示したものであり、本発明は、必ずしも図示されたところに限定されるものではない。
【００１９】
図１は、本発明の一実施形態による二次電池を概略的に示した斜視図であり、図２は、図１の分解斜視図であり、図３は、図１のIII−III線に沿って切り取った断面図である。
図１ないし図３を参照すれば、本発明の実施形態による二次電池１００は、電極組立体１１０、電極組立体１１０を収容するカン１２０、カン１２０の内部を密閉するキャッププレート１３０を含んでもよい。
【００２０】
電極組立体１１０は、電極活物質が塗布された第１電極板１１１及び第２電極板１１２、並びにそれらの間に介在されたセパレータ１１３を含んでもよい。電極組立体１１０は、第１電極板１１１、セパレータ１１３及び第２電極板１１２が順次に積層された積層体を形成した後、ゼリーロール状になるように巻き取って製作される。第１電極板１１１及び第２電極板１１２それぞれは、化学反応によって形成された電荷を外部に引き出すための第１電極タブ１１４及び第２電極タブ１１５と電気的に連結されている。第１電極タブ１１４及び第２電極タブ１１５は、同一方向に向けて延長されてもよい。例えば、第１電極タブ１１４及び第２電極タブ１１５は、カン１２０の開口ＯＰに向けて延長されてもよい。
第１電極板１１１は、第１金属集電体（図示せず）と、該第１金属集電体の表面に、第１活物質（図示せず）が塗布された第１活物質部（図示せず）と、を含んでもよい。それと同様に、第２電極板１１２は、第２金属集電体（図示せず）と、第２金属集電体の表面に、第２活物質（図示せず）が塗布されて形成された第２活物質部（図示せず）と、を含んでもよい。
【００２１】
第１電極板１１１は、正極フィルムであり、該第１金属集電体は、正極集電体であり、該第１活物質部は、正極活物質部でもある。また、第２電極板１１２は、負極フィルムであり、該第２金属集電体は、負極集電体であり、該第２活物質部は、負極活物質部でもある。該正極集電体、該正極活物質部、該負極集電体及び該負極活物質部の物質及び構成は、一般的な二次電池に使用される周知／慣用の物質が使用されるので、その詳細な物質及び構成に係わる説明は、以下省略する。
【００２２】
セパレータ１１３は、ポリエチレン膜、ポリプロピレン膜のような多孔性高分子膜でもあり、高分子ファイバを含む織布形態または不織布形態でもあり、セラミックス粒子を含み、高分子固体電解質からもなる。セパレータ１１３は、独立したフィルムから形成したり、あるいは第１電極板１１１上または第２電極板１１２上に、非伝導性の多孔性層を形成したりして使用される。
【００２３】
セパレータ１１３は、第１電極板１１１及び第２電極板１１２を互いに電気的に分離させるために形成したものであり、セパレータ１１３の形状は、必ずしも第１電極板１１１や第２電極板１１２の形状と同一に形成される必要はない。
本実施形態では、電極組立体１１０がゼリーロール状を有する場合について説明したが、本発明は、それに制限されるものではない。他の実施形態として、電極組立体１１０は、第１電極板１１１、第２電極板１１２、及びそれらの間にセパレータ１１３が介在された積層構造でもある。
【００２４】
カン１２０は、一面、すなわち、上部面と対応する面が開放された六面体の形状であり、強度を確保するために、金属性素材から製作される。例えば、カン１２０は、アルミニウム、アルミニウム合金から製作される。カン１２０の内部には、電解質に含浸された電極組立体１１０が収容される。このとき、金属性素材から形成されたカン１２０と、不要な短絡が発生しないように、電極組立体１１０は、絶縁シート１７０によって覆い包まれたまま、前記カン１２０の内部に収容される。電極組立体１１０が、カン１２０の内部に収容された後、開口ＯＰは、キャッププレート１３０によって密閉される。キャッププレート１３０とカン１２０とが接する部分は、レーザ溶接によって結合されることにより、内部気密を維持することができる。
【００２５】
キャッププレート１３０には、電解質注入口１３１が具備される。キャッププレート１３０とカン１２０とが結合された後、電解質は、電解質注入口１３１を介して注入され、電解質注入口１３１は、栓１３２によって密閉される。他の実施形態として、キャッププレート１３０には、電解質注入口１３１が具備されない。その場合、キャッププレート１３０とカン１２０とがレーザ溶接によって一体に結合される前に、電解質が注入される。
【００２６】
キャッププレート１３０上には、電極端子１４０が配置される。電極端子１４０の上部面は、キャッププレート１３０の上部を介して外部に露出され、下部は、キャッププレート１３０を貫通してカン１２０の内部を向く。
キャッププレート１３０は、カン１２０の開口を密封するように、カン１２０の上部面に配置される。キャッププレート１３０は、カン１２０と同様に、アルミニウムまたはアルミニウム合金のような金属性素材から製作される。図３に図示されているように、電極端子１４０は、電極組立体１１０の第１電極タブ１１４と電気的に連結され、第１極性を帯び、キャッププレート１３０は、電極組立体１１０の第２電極タブ１１５と電気的に連結され、第２極性を帯びる。そのとき、溶接を介してキャッププレート１３０と連結されたカン１２０も、第２極性を帯びる。
【００２７】
例えば、キャッププレート１３０は、二次電池１００の正極であり、電極端子１４０は、二次電池１００の負極としての役割を行う。そのとき、キャッププレート１３０と、電極端子１４０との間には、それら間のショートを防止するために絶縁性素材を含む第１ガスケット１４５及び第２ガスケット１４６が具備される。第１ガスケット１４５は、キャッププレート１３０の上部面と接触するように配置され、第２ガスケット１４６は、キャッププレート１３０の下部面と接触するように配置される。図２では、第１ガスケット１４５及び第２ガスケット１４６が別途の部材として図示されているが、第１ガスケット１４５及び第２ガスケット１４６は、一体型でもある。一方、キャッププレート１３０との溶接を介して、第２極性を帯びるカン１２０を、外部の物体、または他の二次電池１００から電気的に絶縁させるために、カン１２０の両側面には、カン１２０の側面をカバーする絶縁フィルム１６０が付着される。
【００２８】
カン１２０の内部には、電極組立体１１０の上部に位置する第１絶縁材１５０が配置される。第１絶縁材１５０は、電極組立体１１０をキャッププレート１３０と絶縁させることができる。他の実施形態として、第１絶縁材１５０は、電極組立体１１０をキャッププレート１３０と絶縁させると同時に、カン１２０の内部で電極組立体１１０が動くことを規制することができる。第１絶縁材１５０は、第１電極タブ１１４及び第２電極タブ１１５が開口ＯＰに向けて延長されるように、貫通ホールを含み、電解質注入口１３１を介して流入された電解質が通過するように、電解質注入口１３１と対応する位置に形成されたホールを含んでもよい。一方、電極組立体１１０の下部には、第２絶縁材１８０が配置され、金属性素材のカン１２０と電極組立体１１０との不要な短絡を防止することができる。
【００２９】
一方、図３を参照すれば、キャッププレート１３０は、カン１２０の開口を密封するように、カン１２０の上部面に配置され、カン１２０と同様に、アルミニウムまたはアルミニウム合金のような金属性素材から製作される。キャッププレート１３０は、カン１２０の開口ＯＰを、多様な方法を介して密封することができる。本発明の一実施形態では、干渉設計について説明するが、それに制限されるものではなく、多様な方法で密封することができる。
【００３０】
カン１２０の内径の大きさをＡ’とした場合、キャッププレート１３０の大きさは、Ａ’＋ａとして形成することができる。それにより、キャッププレート１３０をカン１２０の内側に嵌め込む方式で、カン１２０の開口ＯＰを密封することができる。ただし、そのような場合、長手方向（ｘ軸方向）に延設されるキャッププレート１３０の一端部Ａに応力が集中し、金属性素材によって形成されたキャッププレート１３０が反ったり、あるいは折れたりするような現象が発生し、それは、二次電池の作動不良をもたらす。従って、本発明の一実施形態に関する二次電池１００では、そのような干渉設計において、キャッププレート１３０の一端部での応力集中現象を緩和させ、キャッププレート１３０の密封力を向上させるキャッププレート１３０構造を提案する。
【００３１】
図３に図示されているように、本発明の一実施形態によるキャッププレート１３０は、長手方向（ｘ軸方向）に延設され、互いに平行に配置された第１面１３３及び第２面１３５、並びに第１面１３３と第２面１３５とを連結し、一定高Ｔ（図５）を有する第３面１３７を含んでもよい。すなわち、キャッププレート１３０は、第３面１３７の高さＴに該当する厚みを有する。その場合、第１面１３３は、カン１２０の内部に向けて配置される面であり、第２面１３５は、カン１２０の外部に向けて配置される面でもある。キャッププレート１３０の第１面１３３と第３面１３７とが接する部分にはシャンファ（chamfer）１３０ｃが形成されるが、そのようなシャンファ１３０ｃは、傾きが変化する。
【００３２】
以下では、キャッププレート１３０の一角に形成されたシャンファ１３０ｃについて詳細に説明する。
図４は、図３のＡ部分を抜粋して図示する底面図であり、図５は、図４を概略的に図示する側面図であり、図６は、図４をＶＩ−ＶＩ線に沿って切り取った断面図である。
図４ないし図６では、キャッププレート１３０の一端部Ａを図示し、それについて、以下詳細に説明し、図４ないし図６に図示されていないキャッププレート１３０の他の端部Ｂについては、以下の一端部Ａの説明を援用する。
【００３３】
図４ないし図６を参照すれば、キャッププレート１３０は、互いに平行に配置された第１面１３３及び第２面１３５、並びに第１面１３３と第２面１３５とを連結し、一定高Ｔを有する第３面１３７を含んでもよい。図４では、キャッププレート１３０の第１面１３３を図示しており、キャッププレート１３０の第１面１３３は、カン１２０の内部に向かう面である。前述のように、キャッププレート１３０の第１面１３３と第３面１３７とが接する部分のエッジには、シャンファ１３０ｃが形成され、そのようなシャンファ１３０ｃの傾きは、変化する。
【００３４】
キャッププレート１３０は、キャッププレート１３０の長手方向（ｘ軸方向）の第１エッジ部１３０ｅ１を有し、キャッププレート１３０の幅方向の第２エッジ部１３０ｅ２を有する。第１エッジ部１３０ｅ１には、第１シャンファ１３０ｃ１が位置し、第２エッジ部１３０ｅ２に、は第２シャンファ１３０ｃ２が位置する。その場合、第１シャンファ１３０ｃ１の傾きと、第２シャンファ１３０ｃ２の傾きとが異なるように形成される。すなわち、第１シャンファ１３０ｃ１の傾きが、第２シャンファ１３０ｃ２の傾きより大きく形成される。
【００３５】
そのとき、第１シャンファ１３０ｃ１の傾きは変化し、前記第１エッジ部１３０ｅ１において、最も突出した部分において、最大傾きを有する。すなわち、第１シャンファ１３０ｃ１において、第２シャンファ１３０ｃ２と連結される部分から始まり、第１エッジ部１３０ｅ１において、最も突出した部分までだんだんと急な傾きを有するように形成される。そのように設計する理由は、キャッププレート１３０の最も突出した部分において、カン１２０の内部との応力が最大になるので、その部分において、急激なテーパを有するように形成し、キャッププレート１３０が受けるストレスを最小化させるためである。
【００３６】
一方、第２シャンファ１３０ｃ２の傾きは一定であり、キャッププレート１３０の第２エッジ部１３０ｅ２のところでも同一傾きを有する。従って、第２シャンファ１３０ｃ２の高さｔ２及び幅ｗ２は、常に同一に形成される。
【００３７】
一方、図５を参照すれば、キャッププレート１３０の第１エッジ部１３０ｅ１において、最も突出した部分における第１シャンファ１３０ｃ１の傾きが図示されている。キャッププレート１３０の第１エッジ部１３０ｅ１において、最も突出した部分における第１シャンファ１３０ｃ１の傾きは、第１シャンファ１３０ｃ１の高さｔ１を、第１シャンファ１３０ｃ１の幅ｗ１で除した値を意味する。本発明の一実施形態によれば、第１シャンファ１３０ｃ１の高さｔ１は、第１シャンファ１３０ｃ１の幅ｗ１より大きく、第１シャンファ１３０ｃ１が最大傾きを有する部分で、第１シャンファ１３０ｃ１の高さ-t1と、第１シャンファ１３０ｃ１の幅ｗ１との比率が２：１ほどに形成される。望ましくは、第１シャンファ１３０ｃ１の幅 ｗ１が０．２ｍｍであるならば、第１シャンファ１３０ｃ１の高さｔ１は、０．４ｍｍほどに形成される。
【００３８】
一方、図６を参照すれば、第２シャンファ１３０ｃ２の傾きは、第２シャンファ１３０ｃ２の高さｔ２を、第２シャンファ１３０ｃ２の幅ｗ２で除した値を意味する。本発明の一実施形態によれば、第２シャンファ１３０ｃ２の高さｔ２と、第２シャンファ１３０ｃ２の幅ｗ２は、ほぼ同一であり、すなわち、第１シャンファ１３０ｃ１の高さｔ１と、第１シャンファ１３０ｃ１の幅ｗ１との比率が１：１ほどに形成される。望ましくは、第１シャンファ１３０ｃ１の幅ｗ１が０．２ｍｍほどであるならば、第１シャンファ１３０ｃ１の高さｔ１は、０．２ｍｍほどに形成される。従って、第１シャンファ１３０ｃ１において、最大の傾きを有する部分は、第２シャンファ１３０ｃ２に比べ、２倍ほど急な傾きに形成される。
【００３９】
キャッププレート１３０は、キャッププレート１３０の長手方向（ｘ軸方向）の第１エッジ部１３０ｅ１を有し、キャッププレート１３０の幅方向（ｙ軸方向）の第２エッジ部１３０ｅ２を有する。第１エッジ部１３０ｅ１には、第１シャンファ１３０ｃ１が位置し、第２エッジ部１３０ｅ２には、第２シャンファ１３０ｃ２が位置する。その場合、図４に図示されているように、ｚ軸方向から見た第１シャンファ１３０ｃ１の幅ｗ１と、第２シャンファ１３０ｃ２の幅ｗ２は、同一である。本発明の一実施形態によれば、第１シャンファ１３０ｃ１の幅ｗ１と、第２シャンファ１３０ｃ２の幅ｗ２は、０．２ｍｍほどに形成される。
【００４０】
一方、キャッププレート１３０は、第３面１３７の高さＴに該当する厚みを有するが、図５に図示されているように、第１シャンファ１３０ｃ１が最大傾きを有する部分を基準に、第１シャンファ１３０ｃ１の高さｔ１は、キャッププレート１３０の高さＴの７０％以下に形成される。そのように設計する理由は、第１シャンファ１３０ｃ１の高さｔ１を、全体キャッププレート１３０の高さＴの７０％以上に形成する場合、キャッププレート１３０がカン１２０の内壁を支える力が弱くなり、キャッププレート１３０をカン１２０に溶接する過程で、不良などの問題が発生してしまうからである。
【００４１】
一方、図５及び図６を参照すれば、第１シャンファ１３０ｃ１の傾きと、第２シャンファ１３０ｃ２の傾きとが異なって形成されるので、それにより、第１シャンファ１３０ｃ１の長さｄ１と第２シャンファ１３０ｃ２の長さｄ２は、異なって形成されるということが分かる。第１シャンファ１３０ｃ１の長さは、第２シャンファ１３０ｃ２の長さより長く形成され、第１シャンファ１３０ｃ１は、第１エッジ部１３０ｅ１において最も突出した部分において、最大長を有する。図６に図示されているように、第１シャンファ１３０ｃ１は、第２シャンファ１３０ｃ２と連結される部分から、第１エッジ部１３０ｅ１において最も突出した部分まで漸次増大する長さを有し、第１エッジ部１３０ｅ１において、最も突出した部分において、最大長さを有することができる。
【００４２】
そのように、キャッププレート１３０を設計する理由は、キャッププレート１３０の最も突出した部分において、カン１２０の内部との応力が最大になるので、その部分で急激なテーパを有するように形成し、キャッププレート１３０が受けるストレスを最小化させるためである。そのようなキャッププレート１３０設計を介して、キャッププレート１３０の反り変形を最小化し、キャッププレート１３０の素材の変化なしに、キャッププレート１３０一部に傾きが変化するシャンファを形成することにより、カン１２０とキャッププレート１３０との繋ぎ合わせを向上させ、二次電池の歪みが画期的に改善された二次電池を具現することができる。
【００４３】
本発明は、図面に図示された実施形態を参照して説明したが、それは例示的なものに過ぎず、当該技術分野で当業者であるならば、それらから多様な変形及び均等な他の実施形態が可能であるという点を理解するであろう。従って、本発明の真の技術的保護範囲は、許請求の範囲の技術的思想によって決まられるものである。
【産業上の利用可能性】
【００４４】
本発明の二次電池は、例えば、電源関連の技術分野に効果的に適用可能である。
【符号の説明】
【００４５】
１００    二次電池
１１０    電極組立体
１１１    第１電極板
１１２    第２電極板
１１３    セパレータ
１１４    第１電極タブ
１１５    第２電極タブ
１２０    カン
１３０    キャッププレート
１３０ｃ    シャンファ
１３０ｃ１    第１シャンファ
１３０ｃ２    第２シャンファ
１３０ｅ１    第１エッジ部
１３０ｅ２    第２エッジ部
１３１    電解質注入口
１３２    栓
１３３    第１面
１３５    第２面
１３７    第３面
１４０    電極端子
１４５    第１ガスケット
１４６    第２ガスケット
１５０    第１絶縁材
１６０    絶縁フィルム
１７０    絶縁シート
１８０    第２絶縁材
ＯＰ    開口
【図１】
0006769590.tif 000002
【図２】
0006769590.tif 000003
【図３】
0006769590.tif 000004
【図４】
0006769590.tif 000005
【図５】
0006769590.tif 000006
【図６】
0006769590.tif 000007